(57)【要約】【課題】軸受における軌道面と玉との間の接触部に潤滑剤を積極的に供給可能であり軸受の騒音低減及び潤滑性向上が可能なラジアル玉軸受用保持器及びラジアル玉軸受を提供する。【解決手段】このラジアル玉軸受用保持器２０は、ラジアル玉軸受の軌道面間に配置される複数の玉５を転動自在に保持するために全体を円環状に形成して円周方向の複数箇所にポケット１８を設けたものであって、ポケットにおける軌道面と玉との接触部に対応する領域ｋを外した位置で玉を拘束するとともに領域ｋに潤滑剤溜まり部２５，２６を設けた。【選択図】図１
2008249127.tif 000002
【特許請求の範囲】
【請求項１】
ラジアル玉軸受の軌道面間に配置される複数の玉を転動自在に保持するために全体を円環状に形成して円周方向の複数箇所にポケットを設けたラジアル玉軸受用保持器であって、
前記ポケットにおける前記軌道面と前記玉との接触部に対応する領域を外した位置で前記玉を拘束するとともに前記領域に潤滑剤溜まり部を設けたことを特徴とするラジアル玉軸受用保持器。
【請求項２】
ラジアル玉軸受の軌道面間に配置される複数の玉を転動自在に保持するために全体を円環状に形成して円周方向の複数箇所にポケットを設け、前記ポケットの開口部から前記玉を挿入して保持するラジアル玉軸受用保持器であって、
前記各ポケットにおいて前記玉を四箇所で拘束するように前記開口部側に第１及び第２の突き出し部を設けかつ前記ポケットの前記開口部と反対側の底部側に第３及び第４の突き出し部を設け、
前記第１の突き出し部と前記第３の突き出し部との間に第１の潤滑剤溜まり部を設けかつ前記第２の突き出し部と前記第４の突き出し部との間に第２の潤滑剤溜まり部を設けたことを特徴とするラジアル玉軸受用保持器。
【請求項３】
前記第３の突き出し部と前記第４の突き出し部との間の前記底部の近傍に第３の潤滑剤溜まり部を設けた請求項２に記載のラジアル玉軸受用保持器。
【請求項４】
前記第１の突き出し部と前記第４の突き出し部とが前記玉の中心を挟んで斜めに略対向しかつ前記第２の突き出し部と前記第３の突き出し部とが前記玉の中心を挟んで斜めに略対向する請求項２または３に記載のラジアル玉軸受用保持器。
【請求項５】
ラジアル玉軸受の軌道面間に配置される複数の玉を転動自在に保持するために全体を円環状に形成して円周方向の複数箇所にポケットを設け、前記ポケットの開口部から前記玉を挿入して保持するラジアル玉軸受用保持器であって、
前記各ポケットにおいて前記玉を四箇所で拘束するように前記開口部側に第１及び第２の凹面部を設けかつ前記ポケットの前記開口部の反対側の底部側に第３及び第４の凹面部を設け、
前記第１の凹面部と前記第３の凹面部との間に第１の潤滑剤溜まり部を設けかつ前記第２の凹面部と前記第４の凹面部との間に第２の潤滑剤溜まり部を設けたことを特徴とするラジアル玉軸受用保持器。
【請求項６】
前記第３の凹面部と前記第４の凹面部との間の前記底部の近傍に第３の潤滑剤溜まり部を設けた請求項５に記載のラジアル玉軸受用保持器。
【請求項７】
前記第１の凹面部と前記第４の凹面部とが前記玉の中心を挟んで斜めに略対向しかつ前記第２の凹面部と前記第３の凹面部とが前記玉の中心を挟んで斜めに略対向する請求項５または６に記載のラジアル玉軸受用保持器。
【請求項８】
外周面に内輪軌道面を有する内輪と内周面に外輪軌道面を有する外輪とを互いに同心に配置し、前記内輪軌道面と前記外輪軌道面との間に、請求項１乃至７のいずれか１項に記載のラジアル玉軸受用保持器を用いて複数の玉を保持したことを特徴とするラジアル玉軸受。
【請求項９】
前記内輪軌道面及び前記外輪軌道面の少なくとも一方の溝半径（ｒ’）と前記玉の直径（Ｄ）との半径比（ｒ’／Ｄ）が５２％以下である請求項８に記載のラジアル玉軸受。
【請求項１０】
軸受内部に潤滑剤としてグリースを充填し、
前記グリースの調度が２００乃至２８０の範囲内にある請求項８または９に記載のラジアル玉軸受。
【発明の詳細な説明】
【技術分野】
【０００１】
本発明は、複数の玉を転動自在に保持するために全体を円環状に形成して円周方向の複数箇所にポケットを設けたラジアル玉軸受用保持器及びラジアル玉軸受に関する。
【背景技術】
【０００２】
ラジアル玉軸受は各種回転機械装置で回転軸等を支持する軸受部に広く使用されているが、このラジアル玉軸受の従来例の概略的構成を図３に示す（下記特許文献１，２，３参照）。図３のラジアル玉軸受１０は、外周面に内輪軌道面１を形成した内輪２と、内周面に外輪軌道面３を形成した外輪４とを同心的に配置し、内輪軌道面１と外輪軌道面３との間に複数個の玉５を転動自在に設けて構成されている。複数個の玉５は保持器６により転動自在に保持されている。図４に図３の保持器６の斜視図を示す。
【０００３】
図４に示すように、保持器６は、円環状の冠型に構成されており、樹脂から射出成形により製造され、従来の金属からプレス成形で製造された波型保持器の代わりに用いられるようになっている（下記特許文献１，２，３参照）。図４の冠型保持器６は、円環状の主部１７の円周方向の複数個所に玉５（図３）を転動自在に保持するように設けられたポケット１８と、ポケット１８の両側に設けられた弾性変形可能な一対の弾性片１６ａ、１６ｂと、を複数組有する。各ポケット１８は、主部１７に互いに間隔をあけて配置された一対の弾性片１６ａ、１６ｂの片側面と、一対の弾性片１６ａと１６ｂとの間に設けられた凹面部１９と、からほぼ全体が球面状に構成されている。各ポケット１８の図の上部には一対の弾性片１６ａ、１６ｂ間に開口部Ｔが形成される。
【０００４】
図４の冠型保持器６を用いて図３のようなラジアル玉軸受を組み立てる場合、玉５を、ポケット１８の一対の弾性片１６ａ、１６ｂの先端縁同士の間隔を弾性的に押し広げて弾性片１６ａ、１６ｂの間の開口部Ｔから押し込むようにして挿入する。このように、冠型保持器６は各ポケット１８内に各玉５を抱き込むことで、玉５を内輪軌道面１と外輪軌道面３との間（図３）で転動自在に保持する。
【０００５】
上述のように、従来のラジアル玉軸受の保持器は、金属製の波型保持器やポケットが単一の球面で成形された樹脂製の円環状の冠型保持器が使われることが一般的であった。
【０００６】
また、図５に示すように、図４のポケット１８の全体形状を、図の下方部分が玉５の中心Ｏを中心とした半径ｒ１（ｒ１＞ｒ（ｒ：玉５の半径））の球状凹面部１９ａであり、開口部Ｔのある上方部分が玉５の中心Ｏを中心とした半径ｒ２（ｒ２＞ｒ）の球状凹面部１９ｃであり、中間部分が玉５の転動中心軸ｖを中心としたアキシャル円筒状の凹面部１９ｂであるようにした円環状の冠型保持器が公知であり、更に、図５の破線のように、半径ｒ１の中心を玉５の中心ＯからＯ１にずらして半径ｒ１を大きくするとともに、半径ｒ２の中心を玉５の中心ＯからＯ２にずらして半径ｒ２を大きくしたものも公知である（特許文献１参照）。
【特許文献１】特許第３７４４６６３号公報
【特許文献２】特許第３０３５７６６号公報
【特許文献３】特開２００５−１３３８９３号公報
【発明の開示】
【発明が解決しようとする課題】
【０００７】
図５のような円環状の冠型保持器では、玉５とアキシャル円筒状の凹面部１９ｂとの間の領域Ａで玉５とポケット１８との隙間が最も小さく、玉５は主に領域Ａでポケット１８により拘束され、また、この領域Ａの位置で図３の各軌道面１，３と玉５との間の接触部に油（潤滑剤）が供給される。ところが、玉軸受の騒音低減及び潤滑性向上のために保持器のポケット内に油溜まりを設ける場合、図５の領域Ａの油供給位置と保持器の玉５の拘束位置とが一致するため、領域Ａに油溜まりを設けることができない。このため、軸受の騒音低減及び潤滑性向上の対策上、一定の制限があった。
【０００８】
本発明は、上述の従来技術の問題に鑑み、軸受における軌道面と玉との間の接触部に潤滑剤を積極的に供給可能であり軸受の騒音低減及び潤滑性向上が可能なラジアル玉軸受用保持器及びラジアル玉軸受を提供することを目的とする。
【課題を解決するための手段】
【０００９】
上記目的を達成するために、本発明による第１のラジアル玉軸受用保持器は、ラジアル玉軸受の軌道面間に配置される複数の玉を転動自在に保持するために全体を円環状に形成して円周方向の複数箇所にポケットを設けたラジアル玉軸受用保持器であって、前記ポケットにおける前記軌道面と前記玉との接触部に対応する領域を外した位置で前記玉を拘束するとともに前記領域に潤滑剤溜まり部を設けたことを特徴とする。
【００１０】
このラジアル玉軸受用保持器によれば、潤滑剤溜まり部を設けた領域は、ラジアル玉軸受における軌道面と玉との間の接触部に対応するので、かかる軌道面と玉との間の接触部に潤滑剤を積極的に供給することができ、軸受の騒音低減及び潤滑性向上が可能となる。
【００１１】
本発明による第２のラジアル玉軸受用保持器は、ラジアル玉軸受の軌道面間に配置される複数の玉を転動自在に保持するために全体を円環状に形成して円周方向の複数箇所にポケットを設け、前記ポケットの開口部から前記玉を挿入して保持するラジアル玉軸受用保持器であって、前記各ポケットにおいて前記玉を四箇所で拘束するように前記開口部側に第１及び第２の突き出し部を設けかつ前記ポケットの前記開口部と反対側の底部側に第３及び第４の突き出し部を設け、前記第１の突き出し部と前記第３の突き出し部との間に第１の潤滑剤溜まり部を設けかつ前記第２の突き出し部と前記第４の突き出し部との間に第２の潤滑剤溜まり部を設けたことを特徴とする。
【００１２】
このラジアル玉軸受用保持器によれば、第１及び第２の潤滑剤溜まり部を設けた各突き出し部間の領域は、ラジアル玉軸受における軌道面と玉との間の接触部に対応するので、かかる軌道面と玉との間の接触部に潤滑剤を積極的に供給することができ、軸受の騒音低減及び潤滑性向上が可能となる。
【００１３】
上記ラジアル玉軸受用保持器において前記第３の突き出し部と前記第４の突き出し部との間の前記底部の近傍に第３の潤滑剤溜まり部を設けることで、上記潤滑剤の積極的な供給に寄与できる。
【００１４】
また、前記第１の突き出し部と前記第４の突き出し部とが前記玉の中心を挟んで斜めに略対向しかつ前記第２の突き出し部と前記第３の突き出し部とが前記玉の中心を挟んで斜めに略対向するように構成することが好ましい。
【００１５】
本発明による第３のラジアル玉軸受用保持器は、ラジアル玉軸受の軌道面間に配置される複数の玉を転動自在に保持するために全体を円環状に形成して円周方向の複数箇所にポケットを設け、前記ポケットの開口部から前記玉を挿入して保持するラジアル玉軸受用保持器であって、前記各ポケットにおいて前記玉を四箇所で拘束するように前記開口部側に第１及び第２の凹面部を設けかつ前記ポケットの前記開口部の反対側の底部側に第３及び第４の凹面部を設け、前記第１の凹面部と前記第３の凹面部との間に第１の潤滑剤溜まり部を設けかつ前記第２の凹面部と前記第４の凹面部との間に第２の潤滑剤溜まり部を設けたことを特徴とする。
【００１６】
このラジアル玉軸受用保持器によれば、第１及び第２の潤滑剤溜まり部を設けた各凹面部間の領域は、ラジアル玉軸受における軌道面と玉との間の接触部に対応するので、かかる軌道面と玉との間の接触部に潤滑剤を積極的に供給することができ、軸受の騒音低減及び潤滑性向上が可能となる。
【００１７】
上記ラジアル玉軸受用保持器において前記第３の凹面部と前記第４の凹面部との間の前記底部の近傍に第３の潤滑剤溜まり部を設けることで、上記潤滑剤の積極的な供給に寄与できる。
【００１８】
また、前記第１の凹面部と前記第４の凹面部とが前記玉の中心を挟んで斜めに略対向しかつ前記第２の凹面部と前記第３の凹面部とが前記玉の中心を挟んで斜めに略対向するように構成することが好ましい。
【００１９】
本発明によるラジアル玉軸受は、外周面に内輪軌道面を有する内輪と内周面に外輪軌道面を有する外輪とを互いに同心に配置し、前記内輪軌道面と前記外輪軌道面との間に、上述のラジアル玉軸受用保持器を用いて複数の玉を保持したことを特徴とする。
【００２０】
このラジアル玉軸受によれば、保持器のポケット内の潤滑剤溜まり部が軌道面と玉との間の接触部に対応するので、かかる軌道面と玉との間の接触部に潤滑剤を積極的に供給することができ、軸受の騒音低減及び潤滑性向上を実現できる。また、保持器の各ポケットにおいて潤滑剤溜まり部以外の例えば四箇所で玉を保持し安定して拘束することができる。
【００２１】
上記ラジアル玉軸受において前記内輪軌道面及び前記外輪軌道面の少なくとも一方の溝半径（ｒ’）と前記玉の直径（Ｄ）との半径比（ｒ’／Ｄ）が５２％以下であることが好ましい。これにより、内輪軌道面及び／又は外輪軌道面において玉と接触する面積が大きくなり、軌道面の溝上の応力が小さくなるので、軸受の高負荷化を実現できる。
【００２２】
また、上記ラジアル玉軸受の軸受内部に潤滑剤としてグリースを充填し、前記グリースの調度（グリースの粘度を示す指標）が２００乃至２８０の範囲内にあることが好ましい。
【発明の効果】
【００２３】
本発明のラジアル玉軸受用保持器及びラジアル玉軸受によれば、ラジアル玉軸受における軌道面と玉との間の接触部に潤滑剤を積極的に供給可能であり、軸受の騒音低減及び潤滑性向上が可能となる。
【発明を実施するための最良の形態】
【００２４】
以下、本発明を実施するための最良の形態について図面を用いて説明する。
【００２５】
〈第１の実施の形態〉
図１は第１の実施の形態による円環状の冠型保持器の要部を半径方向から見た図である。
【００２６】
図１に示す円環状の冠型保持器２０は、全体形状は図４とほぼ同じ構成であり、図５のポケット１８の構成を変えたものであるから、主に図１のポケット１８について以下説明する。
【００２７】
第１の実施の形態による円環状の冠型保持器２０のポケット１８は、球面状の凹面が玉５を四箇所の突き出し部で保持し拘束するとともにそれら以外の部分が凹状にえぐられて潤滑剤溜まりとなるように構成されたものである。
【００２８】
すなわち、図１に示すように、ポケット１８は、開口部Ｔ側に設けられた第１の突き出し部２１と、同じく開口部Ｔ側に第１の突き出し部２１と玉５の転動中心軸ｖを間にして横方向に対向するように設けられた第２の突き出し部２２と、ポケット１８の開口部Ｔと反対側の底部側に設けられた第３の突き出し部２３と、同じく底部側に第３の突き出し部２３と玉５の転動中心軸ｖを間にして横方向に対向するように設けられた第４の突き出し部２４と、を備える。
【００２９】
また、ポケット１８は、第１の突き出し部２１と第３の突き出し部２３との間に凹状に形成された第１の潤滑剤溜まり部２５と、第２の突き出し部２２と第４の突き出し部２４との間に凹状に形成された第２の潤滑剤溜まり部２６と、を備え、更に、第３の突き出し部２３と第４の突き出し部２４との間の底部（玉５の転動中心軸ｖに対し略直交する）の近傍に凹状に形成された第３の潤滑剤溜まり部２７を備える。
【００３０】
図１のように、ポケット１８において、第１の突き出し部２１と第４の突き出し部２４とが玉５の中心Ｏを挟んで斜めに対向しており、第２の突き出し部２２と第３の突き出し部２３とが玉５の中心Ｏを挟んで斜めに対向している。
【００３１】
すなわち、第１〜第４の突き出し部２１〜２４は、第１の突き出し部２１と第４の突き出し部２４の各頂点を通る直線ｍ（図１の一点鎖線で示す）が玉５の中心Ｏを通り、第２の突き出し部２２と第３の突き出し部２３の各頂点を通る直線ｎ（図１の一点鎖線で示す）が玉５の中心Ｏを通るように形成されている。
【００３２】
また、第１の突き出し部２１と第４の突き出し部２４は、図１のように、各頂点が直線ｍ上の第１の突き出し部２１，２４近傍の点ａ，ｄを中心とする半径Ｒ１，Ｒ４を有するように丸みを帯びた曲面状に形成されている。同様に、第２の突き出し部２２と第３の突き出し部２３は、各頂点が直線ｎ上の第２の突き出し部２２，２３近傍の点ｂ，ｃを中心とする半径Ｒ２，Ｒ３を有するように丸みを帯びた曲面状に形成されている。なお、半径Ｒ１とＲ２はほぼ等しく、半径Ｒ３とＲ４はほぼ等しくなっている。
【００３３】
第１及び第２の潤滑剤溜まり部２５，２６は、図１のように、玉５の転動中心軸ｖに沿って略平行に延びており、それらの端部がそれぞれ第１〜第４の突き出し部２１〜２４に滑らかに連続するように形成されている。
【００３４】
また、第１及び第２の潤滑剤溜まり部２５，２６が形成された転動中心軸ｖに略平行な領域（転動中心軸ｖ方向に長さｋを有する）は、図３の外輪軌道面３と玉５との間の回転軸方向の長さｗを有する接触部（または内輪軌道面１と玉５との間の接触部）に対応し、潤滑剤溜まり部２５，２６の転動中心軸ｖ方向の長さｋの領域と、外輪軌道面３と玉５との接触部の長さｗの領域とが、少なくとも部分的に重複している。このため、軸受の使用中に潤滑剤溜まり部２５，２６から潤滑剤を図３の外輪軌道面３と玉５との接触部及び内輪軌道面１と玉５との間の接触部に対し積極的に供給することができる。
【００３５】
図１のようなポケット１８を備える冠型保持器２０は、全体形状が図４のように構成され、図３のようなラジアル玉軸受に用いられるが、保持器２０の各ポケット１８に開口部Ｔから玉５を押し込むようにして挿入すると、玉５はポケット１８内で第１〜第４の突き出し部２１〜２４にそれぞれ沿って略線接触して四箇所で保持されて拘束される。
【００３６】
以上のように、第１の実施の形態の冠型保持器２０によれば、図３の外輪軌道面３と玉５との間の回転軸方向の長さｗを有する接触部に対応する保持器２０のポケット１８内の領域を外した部分に、玉５を四箇所で拘束するように第１乃至第４の突き出し部２１〜２４を転動中心軸ｖを回転軸とした回転対称位置に設けるとともに、上述の接触部に対応する保持器２０のポケット１８内の領域（長さｋの領域）に潤滑剤溜まり部２５，２６を設けることで、玉５を安定して保持し拘束するとともに、潤滑剤を図３の外輪軌道面３と玉５との接触部及び内輪軌道面１と玉５との間の接触部に対し積極的に供給できる。これにより、図３のようなラジアル玉軸受において騒音低減及び潤滑性向上を実現できる。
【００３７】
また、第３の突き出し部１３と第４の凹面部１４との間のポケット１８の底部の近傍に設けた第３の潤滑剤溜まり部２７からも潤滑剤を供給できるので、上述した潤滑剤の積極的な供給に寄与することができる。
【００３８】
〈第２の実施の形態〉
図２は第２の実施の形態による円環状の冠型保持器の要部を半径方向から見た図である。
【００３９】
図２に示す円環状の冠型保持器３０は、全体形状は図４とほぼ同じ構成であり、図５のポケット１８の構成を変えたものであるから、主に図２のポケット１８について以下説明する。
【００４０】
第２の実施の形態による円環状の冠型保持器２０のポケット１８は、球面状の凹面が玉５を四箇所の凹面部で保持し拘束するとともにそれら以外の部分が更に凹状にえぐられて潤滑剤溜まりとなるように構成されたものである。
【００４１】
図２に示すように、ポケット１８は、開口部Ｔ側に設けられた第１の凹面部３１と、同じく開口部Ｔ側に第１の凹面部３１と玉５の転動中心軸ｖを間にして横方向に対向するように設けられた第２の凹面部３２と、ポケット１８の開口部Ｔと反対側の底部側に設けられた第３の凹面部３３と、同じく底部側に第３の凹面部３３と玉５の転動中心軸ｖを間にして横方向に対向するように設けられた第４の凹面部３４と、を備える。第１〜第４の凹面部３１〜３４は、図２のポケット１８の球面状の凹面に沿って所定の円周方向長さに形成されている。
【００４２】
また、ポケット１８は、第１の凹面部３１と第３の凹面部３３との間に凹状に形成された第１の潤滑剤溜まり部３５と、第２の凹面部３２と第４の凹面部３４との間に凹状に形成された第２の潤滑剤溜まり部３６と、を備え、更に、第３の凹面部３３と第４の凹面部３４との間の底部（玉５の転動中心軸ｖに対し略直交する）の近傍に凹状に形成された第３の潤滑剤溜まり部３７を備える。
【００４３】
図２のように、ポケット１８において、第１の凹面部３１と第４の凹面部３４とが玉５の中心Ｏを挟んで斜めにほぼ対向しており、第２の凹面部３２と第３の凹面部３３とが玉５の中心Ｏを挟んで斜めにほぼ対向している。
【００４４】
また、第１の凹面部３１内と第４の凹面部３４内とを通る直線ｐ（図２の一点鎖線で示す）が玉５の中心Ｏを通り、第２の凹面部３２と第３の凹面部３３を通る直線ｑ（図２の一点鎖線で示す）が玉５の中心Ｏを通る。
【００４５】
また、第１の凹面部３１と第４の凹面部３４は、図２のように、直線ｐ上の玉５の中心Ｏを超えて玉５の半径ｒよりも離れた点ｅ，ｈを中心とする半径Ｒ１１，Ｒ１４を有するように球面状に形成されている。同様に、第２の凹面部３２と第３の凹面部３３は、直線ｑ上の玉５の中心Ｏを超えて玉５の半径ｒよりも離れた点ｆ、ｇを中心とする半径Ｒ１２，Ｒ１３を有するように球面状に形成されている。なお、半径Ｒ１，Ｒ２，Ｒ３，Ｒ４はほぼ等しく、玉５の半径ｒよりも大きくなっている。
【００４６】
第１及び第２の潤滑剤溜まり部３５，３６は、図２のように、玉５の転動中心軸ｖに沿って略平行に延びて断面が略矩形状になっており、第１〜第４の凹面部３１〜３４の延長線（破線で示す）が潤滑剤溜まり部３５，３６内を通るように形成されている。
【００４７】
また、第１及び第２の潤滑剤溜まり部３５，３６が形成された転動中心軸ｖに略平行な領域（転動中心軸ｖ方向に長さｊを有する）は、図３の外輪軌道面３と玉５との間の回転軸方向の長さｗを有する接触部（または内輪軌道面１と玉５との間の接触部）に対応し、潤滑剤溜まり部３５，３６の転動中心軸ｖ方向の長さｊの領域と、外輪軌道面３と玉５との接触部の長さｗの領域とが、少なくとも部分的に重複している。このため、軸受の使用中に潤滑剤溜まり部３５，３６から潤滑剤を図３の外輪軌道面３と玉５との接触部及び内輪軌道面１と玉５との間の接触部に対し積極的に供給することができる。
【００４８】
図２のようなポケット１８を備える冠型保持器３０は、全体形状が図４のように構成され、図３のようなラジアル玉軸受に用いられるが、保持器３０の各ポケット１８に開口部Ｔから玉５を押し込むようにして挿入すると、玉５はポケット１８内で第１〜第４の凹面部３１〜３４にそれぞれ沿って接触して四箇所で保持されて拘束される。
【００４９】
以上のように、第２の実施の形態の冠型保持器３０によれば、図３の外輪軌道面３と玉５との間の回転軸方向の長さｗを有する接触部に対応する保持器２０のポケット１８内の領域を外した部分に、玉５を四箇所で拘束する第１乃至第４の凹面部３１〜３４を転動中心軸ｖを回転軸とした回転対称位置に設けるとともに、上述の接触部に対応する保持器３０のポケット１８内の領域（長さｊの領域）に潤滑剤溜まり部３５，３６を設けることで、玉５を安定して保持し拘束するとともに潤滑剤を図３の外輪軌道面３と玉５との接触部及び内輪軌道面１と玉５との間の接触部に対し積極的に供給できる。これにより、図３のようなラジアル玉軸受において騒音低減及び潤滑性向上を実現できる。
【００５０】
また、第３の凹面部３３と第４の凹面部３４との間のポケット１８の底部の近傍に設けた第３の潤滑剤溜まり部３７からも潤滑剤を供給できるので、上述した潤滑剤の積極的な供給に寄与することができる。
【００５１】
〈第３の実施の形態〉
図６は第３の実施の形態によるラジアル玉軸受（半径比が５２％以下の場合の各軌道輪と玉を示す）の断面図（ａ）及び従来のラジアル玉軸受（半径比が５２％を超えた場合の各軌道輪と玉を示す）の断面図（ｂ）である。なお、図６では、説明の便宜上、保持器の図示を省略している。
【００５２】
図１，図２の保持器２０，３０は複数の玉５を各ポケット１８に保持してラジアル玉軸受に組み込まれる。すなわち、図６（ａ）に示すように、本実施の形態によるラジアル玉軸受４０は、外輪軌道面４１を有する外輪４と、内輪軌道面４２を有する内輪２と、複数個の玉５と、各玉５を各ポケット１８内に転動自在に均等位置に保持する図１の保持器２０（または図２の保持器３０）と、を備え、内輪軌道面４２と外輪軌道面４１との間に複数個の玉５を転動自在に配置したものである。
【００５３】
以上のように、図１または図２の保持器２０または３０が組み込まれたラジアル玉軸受４０によれば、騒音低減及び潤滑性向上を実現できる。
【００５４】
また、図６（ａ）のラジアル玉軸受４０において、内輪２の内輪軌道面４２は、溝半径ｒ４２を有する溝状となっており、溝半径ｒ４２と玉５の直径Ｄとの半径比 （ｒ４２／Ｄ）が５２％以下である。同様に、外輪４の外輪軌道面４１は、溝半径ｒ４１を有する溝状となっており、溝半径ｒ４１と玉５の直径Ｄとの半径比 （ｒ４１／Ｄ）が５２％以下である。
【００５５】
上述のように、本実施の形態によるラジアル玉軸受４０では、内輪２の内輪軌道面４２の溝半径ｒ４２及び外輪４の外輪軌道面４１の溝半径ｒ４１と玉５の直径との各半径比（ｒ４２／Ｄ，ｒ４１／Ｄ）を、図６（ｂ）のような従来の場合に適用される５２％よりも小さくすることで、玉５が接触する軌道面４１，４２の溝上の応力を小さくしている。
【００５６】
すなわち、図６（ｂ）の場合は内輪軌道面１の溝半径ｒ１１と玉５の直径Ｄとの半径比 （ｒ１１／Ｄ）が５２％を超え、同様に外輪軌道面３の溝半径ｒ１３と玉５の直径Ｄとの半径比 （ｒ１３／Ｄ）が５２％を超える。このため、各軌道面１，３において玉５と接触する面積が小さくなることから、各軌道面１，３の溝上の応力が大きくなってしまうのに対し、本実施の形態の図６（ａ）によれば、各半径比（ｒ４２／Ｄ，ｒ４１／Ｄ）が５２％以下であり、内輪軌道面４２及び外輪軌道面４１において玉５と接触する面積が大きくなることから、軌道面４１，４２の溝上の応力が小さくなる。このため、本実施の形態のラジアル玉軸受４０は、適用される軸受装置において高い負荷が可能となって高負荷化を達成できる。
【００５７】
なお、上述の各半径比（ｒ４２／Ｄ，ｒ４１／Ｄ）は、５０％以上であることが好ましい。
【００５８】
図６（ａ）のラジアル玉軸受４０は、その軸受内部に潤滑剤が充填されて使用されるが、潤滑剤としてグリースを用いることが好ましく、この場合、グリースの調度（グリースの粘度を示す指標）が２００乃至２８０の範囲内にあることが好ましい。このように比較的硬いグリースを潤滑剤として使用する場合、保持器のポケット形状が単一の球面状である場合、軸受使用中にグリースがポケットから一度外に押し出されると、なかなかポケット内に戻り難く、保持器において潤滑不良が発生し易くなってしまうが、本実施の形態のラジアル玉軸受４０によれば、図１のように保持器２０のポケット１８と玉５との間において、第１〜第３の潤滑剤溜まり部２５，２６，２７がそれぞれ形成され、グリースが潤滑剤溜まり部２５〜２７に保持され、ポケット１８から外に押し出され難くなり、また、外に押し出されてもポケット１８内に戻り易くなるから、グリースによる潤滑性能を発揮し維持することができる。また、図２の保持器３０を用いた場合にも、同様に、グリースによる潤滑性能を発揮し維持することができる。
【００５９】
以上のように本発明を実施するための最良の形態について説明したが、本発明はこれらに限定されるものではなく、本発明の技術的思想の範囲内で各種の変形が可能である。例えば、図１の第１〜第４の突き出し部２１〜２４の各位置はそれぞれ変更可能であり、また、第３の潤滑剤溜まり部２７を省略してもよい。
【００６０】
また、図２の第１〜第４の凹面部３１〜３４の各円周方向位置や長さはそれぞれ変更可能であり、また、第３の潤滑剤溜まり部３７を省略してもよい。また、第１〜第４の凹面部３１〜３４の半径Ｒ１１〜Ｒ１４はほぼ等しく構成したが、異なってもよく、例えば、半径Ｒ１１，Ｒ１２と、半径Ｒ１３，Ｒ１４とを異ならせてもよい。
【図面の簡単な説明】
【００６１】
【図１】第１の実施の形態による円環状の冠型保持器の要部を半径方向から見た図である。
【図２】第２の実施の形態による円環状の冠型保持器の要部を半径方向から見た図である。
【図３】従来のラジアル玉軸受の内部構成を概略的に示すために一部を破断した斜視図である。
【図４】図３のラジアル玉軸受に配置可能な従来の樹脂製の冠型保持器を示す斜視図である。
【図５】図４のポケット形状を変えた別の従来の冠型保持器の要部を半径方向から見た図である。
【図６】第３の実施の形態によるラジアル玉軸受（半径比が５２％以下の場合の各軌道輪と玉を示す）の断面図（ａ）及び従来のラジアル玉軸受（半径比が５２％を超えた場合の各軌道輪と玉を示す）の断面図（ｂ）である。
【符号の説明】
【００６２】
２ 内輪
４ 外輪
５ 玉
４１ 外輪軌道面
４２ 内輪軌道面
４０ ラジアル玉軸受
１８ ポケット
２０ ラジアル玉軸受用保持器、保持器
２１〜２４ 第１〜第４の突き出し部
２５，２６ 第１及び第２の潤滑剤溜まり部
２７  第３の潤滑剤溜まり部
３０ ラジアル玉軸受用保持器、保持器
３１〜３４ 第１〜第４の凹面部
３５，３６ 第１及び第２の潤滑剤溜まり部
３７  第３の潤滑剤溜まり部
Ｔ ポケットの開口部
ｋ 潤滑剤溜まり部２５，２６が形成された領域の長さ
ｊ 潤滑剤溜まり部３５，３６が形成された領域の長さ
ｗ 外輪軌道面３と玉５との接触部の長さ
ｖ 転動中心軸
Ｄ 玉５の直径
ｒ４２ 内輪軌道面４２の溝半径
ｒ４１ 外輪軌道面４１の溝半径
【図１】
2008249127.tif 000003
【図２】
2008249127.tif 000004
【図３】
2008249127.tif 000005
【図４】
2008249127.tif 000006
【図５】
2008249127.tif 000007
【図６】
2008249127.tif 000008